(57)【要約】      （修正有）【課題】自己の検温結果等の健康状態に基づいて、付近にいる第三者が視覚的に簡易に把握しうるように健康状態を段階的に表示する健康状態表示用器具の提供。【解決手段】少なくとも一方の券面上に複数の段階に分けられた健康状態の指標が表示された指標欄３があり、いずれの指標に健康状態が該当しているのかを指標欄３上の指標を選択することで呈示可能とした、プレート本体２を備えた健康状態表示用器具１である。【選択図】図１
0003227703.tif 000002
【実用新案登録請求の範囲】
【請求項１】
少なくとも一方の券面上に複数の段階に分けられた健康状態の指標（４）が表示された指標欄（３）の表示部があり、いずれの指標に健康状態が該当しているのかを指標欄（３）上の指標（４）を選択することで呈示可能とした、プレート本体（２）を備えた健康状態表示用器具（１）。
【請求項２】
プレート本体（２）の表面の指標欄（３）の表示部は、顔料と剥離成分とを含む揮発性溶剤を用いたインクにより書き換え可能にマーキングしうる平滑部を備えていることを特徴とする請求項１に記載の健康状態表示用器具（１）。
【請求項３】
プレート本体（２）の表面の平滑部上に指標欄（３）の表示部に加えて日付表示欄が設けられていることを特徴とする請求項１または２に記載の健康状態表示用器具（１）。
【請求項４】
プレート本体の双方の券面上に指標欄（３）の表示部を備えていることを特徴とする請求項１から３のいずれか１項に記載の健康状態表示用器具（１）。
【請求項５】
プレート本体がさらに紐体（６）に係止されていることを特徴とする請求項１から４のいずれかの１項に記載の健康状態表示用器具（１）。
【請求項６】
プレート本体を挟持するための保持用クリップを備えていることを特徴とする請求項１から５のいずれか１項の手段に記載の健康状態表示用器具（１）。
【請求項７】
請求項１から６のいずれか１項に記載のプレート本体に加えて、平熱等の健康状態に用いるプレート本体の表示に代わる簡易な表示プレートを組み合わせた健康状態表示用器具。
【考案の詳細な説明】
【技術分野】
【０００１】
この考案は検温した体温等に基づく本人の健康状態に関する情報を第三者が視覚的に把握容易となるように表示させることで、第三者が対象者の健康状態を視覚的に簡易に看取しうるプレート状の健康状態表示用器具に関する。
とりわけ、会社内や工場内での就業時や、電車・バス等の公共交通機関利用時、営業先等への訪問時、会議その他多人数が密集する場所において、対象者本人の体調に関する情報を第三者が視覚的に看取可能とした健康状態表示用器具に関する。
【背景技術】
【０００２】
人は、新型コロナウイルスやインフルエンザ等の感染症に罹患した場合、本人が発熱等の症状を発症するに留まらず、さらに感染症のウイルス等を他人に伝染させてしまうリスクがある。
これまで多少の発熱があっても、そのまま出社して就業したり、会議等に参加したり、買い物やコンサート等で外出する人が多くあったが、多数の人が密集することから、感染症さらに蔓延する要因となっている。
加えて、今般の新型コロナウイルスのような指定感染症では、罹患すると入院隔離や自宅待機等の措置がとられるばかりではなく、感染拡大を抑制するために、緊急事態宣言のもとで外出自粛や休業要請などが行われることで経済活動が制限され、経済沈滞が不可避に生じている。
【０００３】
これまで、検温その他の体調管理は本人が行うことが一般的であった。検温自体は、旧来の水銀体温計、サーミスタ方式の電子体温計、赤外線放射熱を利用した赤外式体温計によって手軽に測定できる。もっとも、人の体調は第三者が容易に判別しうる事項ではなく、眺めればすぐにわかるとは限らない。さらに、日本の社会では多少の体調不良でも休暇を取得してこなかったため、無理を押して出社等する人も多くあった。しかしながら、インフルエンザや今般の新型コロナウイルスのような死亡率が高く感染力の高い感染症が流行するような状況下では、感染拡大や流行を阻止することの重要性が高まっている。体調不良の状態で活動すれば第三者に伝染するリスクが高まり、感染拡大を引き起こすので、少なくとも発熱している者の外出等はできる限り避けることが望まれている。
【０００４】
対象者が検温等によって体調管理をしているか否かや、現在の健康状態が良好かどうかについては、検温の場に居合わせなかった第三者にしてみれば判別する手段が乏しく、体調管理をきちんとしている人物かどうかは判別がつかないこととなる。
【０００５】
もちろん、空港や駅等、人が大量に出入りする場所では、発熱者のスクリーニングのために体表温を赤外線サーモグラフフィで測定するなどしている。
たしかにリアルタイムに体表温が計測されることから、スクリーニングが簡単であり接触もせずに計測することができる。しかし、装置が大がかりで可搬性に乏しく高価である。また、設置場所もゲート付近への据え付けに事実上限られる。たしかに装置の前を通過する際にリアルタイムに計測できるとはいえども、その場所を通りすぎる際に限られるのであるから、赤外線サーモグラフィの設置場所を通過した後に居合わせることになった第三者からすれば、検温や体調管理が担保されているかを端的に確認する手段とはなっていない。
【０００６】
また、体温データを無線通信により生体情報表示装置に送信する器具も存在するが、病院の病室内での静的な使用を前提としており、表示装置は固定された状態で用いられる大がかりな装置であり、あくまで一定の場所に留まる入院患者のような者を対象としての体調管理を念頭に置くものであった。
【先行技術文献】
【特許文献】
【０００７】
【特許文献１】特開２０１８−７５２２１号公報
【考案の概要】
【考案が解決しようとする課題】
【０００８】
本考案が解決しようとする課題は、日常の健康管理をしている対象者が、自己の検温結果等の健康状態に基づいて、付近にいる第三者が視覚的に簡易に把握しうるように健康状態を段階的に表示する器具を提供することである。
また、発熱していることに自身が気づけていない場合や、発熱しているかもしれないと感じていても確かめることなく外出する人がいることから、検温すら行わずに自身の独善的な体調評価によって安易に外出するといったことを可及的に低減するための、第三者にとって視覚的に理解しやすい対象者の健康状態を表示する器具を提供することである。
【課題を解決するための手段】
【０００９】
上記の課題を解決するための本考案の第１の手段は、少なくとも一方の券面上に複数の段階に分けられた健康状態の指標が表示された指標欄の表示部があり、いずれの指標に健康状態が該当しているのかを指標欄上の指標を選択することで呈示可能とした、プレート本体を備えた健康状態表示用器具である。
【００１０】
その第２の手段は、プレート本体の表面の指標欄の表示部は、顔料と剥離成分とを含む揮発性溶剤を用いたインクにより書き換え可能にマーキングしうる平滑部を備えていることを特徴とする第１の手段に記載の健康状態表示用器具である。
【００１１】
その第３の手段は、プレート本体の表面の平滑部上に指標欄の表示部に加えて日付表示欄が設けられていることを特徴とする第１または第２の手段に記載の健康状態表示用器具である。
【００１２】
その第４の手段は、プレート本体の双方の券面上に指標欄の表示部を備えていることを特徴とする第１から第３のいずれか１の手段に記載の健康状態表示用器具である。
【００１３】
その第５の手段は、プレート本体がさらに紐体に係止されていることを特徴とする第１から第４のいずれかの手段に記載の健康状態表示用器具である。
【００１４】
その第６の手段は、プレート本体を挟持するための保持用クリップを備えていることを特徴とする第１から第５のいずれかの手段に記載の健康状態表示用器具である。
【００１５】
その第７の手段は、第１から第６のいずれかの手段に記載のプレート本体に加えて、平熱等の健康状態に用いるプレート本体の表示に代わる簡易な表示プレートを組み合わせた健康状態表示用器具である。
【考案の効果】
【００１６】
本考案の手段によると、対象者が体調管理をしていることが第三者から容易に視認しうることとなるので、他人の体調を慮ってかえって自身の行動を自粛するといったことを避けつつ、経済活動を活性化させていくことができる。
【００１７】
発熱していない、体調管理をしているというアピールをすることで、他所への訪問や会議会合、飲食、公共交通機関の利用などにおいて第三者に安心感を与えることができる。
【図面の簡単な説明】
【００１８】
【図１】本考案の健康状態表示用器具の実施態様の１態様として、紐体の付属したプレート本体の模式図である。
【図２】マーカーでマーキング可能なプレート本体の券面上の記載内容の一例を示した模式図である。
【図３】本考案の健康所帯表示用器具におけるプレート本体を用いた表示に代替する健常者用の簡易表示の例を示すバッジ型の表示プレートである。
【考案を実施するための形態】
【００１９】
本考案にいう段階数に応じた指標とは、図形もしくは記号、文字、数字、色彩あるいはその組合せからなるものとすることができる。
たとえば、具体的な段階的指標としては、検温結果などに基づいて体調が良好、やや不良、悪いといった３段階に段階づける指標を用いる場合には、指標欄に（ａ）太陽、雲、雨の絵を使い分けることで天気を模した図形による指標、（ｂ）○、△、×といった記号を用いた指標、（ｃ）良、可、悪といった表意文字を用いた指標、（ｄ）Ｇ、Ｆ、ＵといったＧｏｏｄ、Ｆａｉｒ、Ｕｎａｃｃｅｐｔａｂｌｅといった英語の頭文字を用いた略語表記による指標、（ｄ）Ａ、Ｂ、Ｃや１、２、３といった文字や数字の配列を昇順あるいは降順に並べた段階的記載による指標、（ｅ）青（グリーン）、黄、赤と信号を模して色分けした色との組合せを表示する指標などを記載することとして、検温結果などに応じていずれの段階であるかを適宜選択できるものとする。もちろん、これらの例示に態様は限られるものではなく、２段階表示や４段階以上の多段階表示であってもよい。
【００２０】
多段階の指標を手がかりに現在の健康状態が選択呈示可能なように、指標欄に各段階の指標を列記したうえで、いずれの指標かをマークすることで対象者の健康状態を認識可能とすることができる。
【００２１】
さらに、プレート本体を、ホワイトボードのような平滑なプラスチック樹脂板もしくは金属板を基材とする券面とし、予め印刷された指標欄の指標から、検温等の都度の書き込みに応じて顔料系のホワイトボードマーカーでマーキングすることで繰り返し用いることとしてもよい。
【００２２】
顔料系のホワイトボードマーカーは、たとえば揮発性の有機溶剤であるアルコールに顔料と剥離成分が含まれており、平滑面にマーキングした後、こすると表面の顔料が剥離成分ごと剥がれ落ちるので、本考案のように該当する指標を選択してマーキング（８）したり、文字を書き込んでも何度も繰り返し使用することができる。
【００２３】
もしくは指標欄（３）を印字した台紙を平滑な透明のプラスチック樹脂製シートでラミネート加工し、透明なシート越しに該当する指標を選択して都度マーカーでマーキングするものであってもよい。
あるいは図１に示すように、指標欄（３）をパスカード状の透明窓（５）のプラスチック樹脂製シート越しに表示するものとして、シート表面の該当の指標（４）を選択して透明窓（５）の上からマーカーでマーキングするものであってもよい。
【００２４】
図２に示すような指標欄（３）は少なくともプレート本体の一方の券面上に設けることとするが、プレート本体（２）の双方の面に同様の指標欄（３）を設けることとすることもできる。
【００２５】
プレート本体（２）は、図１に示すとおり、紐体（６）である首から吊り下げるための下げ紐やベルトに係止することができる。プレート本体（２）が紐体（６）に係止され、首から下げ紐に吊り下げられたり腰にベルトを巻き回したりすることとなると、プレート本体が見やすい位置に表示されることとなるので、着用者の健康状態が第三者に視認しやすいものとなる。
【００２６】
下げ紐に吊り下げられたプレート本体（２）は、姿勢移動で外を向く券面がひっくり返ることがあるので、裏返ることに備えて表裏同一のものとし、プレート本体の双方の券面に同内容の指標欄（３）を設けておくことで、選択された指標（４）がいずれの券面が外を向いても第三者から視認可能としておくことができる。
【００２７】
第三者に視認しうる指標（４）をプレート本体（２）上の指標欄（３）に備えた健康状態表示用器具（１）を着用することとなると、検温に基づく対象者の健康状態を第三者が容易に把握しうることとなる。そこで対象者が自身の都合を優先して安易に外出するのではなく、あくまで表示される体調を顧慮して自身の行動を律することとなる動機づけがなされる結果、合理的な行動が促されることとなりやすい。
【００２８】
プレート本体（２）の券面上には、指標欄（３）に追加して検温等の測定をした日付あるいは日時、その他の体調記録を記載可能な欄を適宜設けることとしてもよい。
【００２９】
さらに、プレート本体（２）の券面上に、対象者本人以外に、第三者によるチェック欄を設けることで、虚偽等の記載の抑止を促すようにしてもよい。第三者によるチェックを呼びかけることで虚偽の記入が抑止されることとなりやすい。
【００３０】
プレート本体（２）に保持用のクリップを設けて挟持しうるものとして、上着のポケットなどに取り付けることで胸元に健康状態の指標（４）を明示的に呈示可能とすることができる。
【００３１】
プレート本体（２）の掲示着用に代えて、より簡易な安全時用の表示プレートを用意することで、平熱時の簡易表示手段を組み合わせることとする。すると、平熱時にはバッジ型などの簡易な表示となる一方で、簡易表示手段を取り得なかった者は外出を控えるなどの心理的抑制が働くこととなりやすい。
【００３２】
図３に示すように、簡易表示手段においては、平熱表示などの簡易な情報に限定した表示プレート（７）を、クリップ、安全ピンなどで示すことで、取り付けが容易となるようにすることができるので、健常者への代替手段を呈示することで全体での使用の定着を促すことができる。
【００３３】
本考案の手段を用いると、対象者自身あるいは周囲の関係者が、毎朝或いは朝、昼等に測定して記入する事によって、自身の体調への認識が深まることに加えて、心理的な抑制効果も相俟って、発熱時の外出自粛や早めの帰宅が行われる確率が高くなることが期待できる。
【００３４】
体温等の測定時は、できるだけ検温結果などを第三者に立ちあって確認してもらうことが望ましく、さらいプレート本体に立ち会った第三者のサインをも記入してもらうことができるので、本人による虚偽の記入が低減できる。
【符号の説明】
【００３５】
１  健康状態表示用器具
２  プレート本体
３  指標欄
４  指標
５  透明窓
６  紐体
７  簡易型の表示プレート
８  指標選択のマーキング
【図１】
0003227703.tif 000003
【図２】
0003227703.tif 000004
【図３】
0003227703.tif 000005
【手続補正書】
【提出日】令和2年6月9日(2020.6.9)
【手続補正１】
【補正対象書類名】実用新案登録請求の範囲
【補正対象項目名】請求項７
【補正方法】変更
【補正の内容】
【請求項７】
請求項１から６のいずれか１項に記載のプレート本体に加えて、平熱の健康状態に用いるプレート本体の表示に代わる簡易な表示プレートを組み合わせた健康状態表示用器具。